(57)【特許請求の範囲】
【請求項１】
保安器を介してデータ通信サービス対応の双方向ＣＡＴＶ回線に接続される情報盤と、この情報盤に先行配線で接続される複数の同軸ケーブルと、これら複数の同軸ケーブルにそれぞれ接続される複数のコンセントとにより構成される双方向ＣＡＴＶ用の先行配線システムであって、
前記情報盤は、前記保安器と前記複数の同軸ケーブルとの間に介設される双方向増幅器を備えるとともに、前記双方向増幅器と前記複数の同軸ケーブルとの間に介設される分配器を備えた分配器用スペースと、前記分配器の複数の出力端子と前記複数の同軸ケーブルとの間に介設されるＴＶ信号通過用の複数のフィルタを備えたフィルタ用スペースとを有し、
前記複数のフィルタの各々は、オン／オフ切替スイッチを個別に備え、このオン／オフ切替スイッチのオン時には信号の通過帯域をＴＶ信号の帯域に制限する一方、オフ時には信号の通過帯域の制限を解除し、
前記複数のコンセントのうち、前記フィルタによって信号の通過帯域が制限されない方のコンセントに接続されるケーブルモデムと、このケーブルモデムの出力端子に接続されるＨＵＢと、このＨＵＢの複数の出力端子に接続される複数のＬＡＮコンセントとを備える
ことを特徴とするＣＡＴＶ先行配線システム。
【請求項２】
前記ケーブルモデムと前記ＨＵＢとの間に介設され、１のグローバルＩＰと複数のローカルＩＰとの変換を行う機能を有するルータを備えることを特徴とする請求項１記載のＣＡＴＶ先行配線システム。
【請求項３】
保安器を介してデータ通信サービス対応の双方向ＣＡＴＶ回線に接続される情報盤と、この情報盤に先行配線で接続される複数の同軸ケーブルと、これら複数の同軸ケーブルにそれぞれ接続される複数のコンセントとにより構成される双方向ＣＡＴＶ用の先行配線システムであって、
前記情報盤に先行配線で接続される複数のＬＡＮケーブルと、これら複数のＬＡＮケーブルにそれぞれ接続される複数のＬＡＮコンセントとを備え、
前記情報盤は、前記保安器と前記複数の同軸ケーブルとの間に介設される双方向増幅器を備えるとともに、前記双方向増幅器と前記複数の同軸ケーブルとの間に介設される分配
器を備えた分配器用スペースと、前記分配器の複数の出力端子と前記複数の同軸ケーブルとの間に介設されるＴＶ信号通過用の複数のフィルタを備えたフィルタ用スペースと、前記複数のＬＡＮケーブルが接続される端子台と、前記フィルタによって信号の通過帯域が制限されずに前記分配器の一の出力端子に入力端子が接続されるケーブルモデムと、このケーブルモデムの出力端子と前記端子台との間に介設されるＨＵＢとを備え、このＨＵＢの複数の出力端子は前記端子台を介してそれぞれ前記複数のＬＡＮケーブルに接続され、
前記複数のフィルタの各々は、オン／オフ切替スイッチを個別に備え、このオン／オフ切替スイッチのオン時には信号の通過帯域をＴＶ信号の帯域に制限する一方、オフ時には信号の通過帯域の制限を解除する
ことを特徴とするＣＡＴＶ先行配線システム。
【請求項４】
保安器を介してデータ通信サービス対応の双方向ＣＡＴＶ回線に接続される情報盤と、この情報盤に先行配線で接続される複数の同軸ケーブルと、これら複数の同軸ケーブルにそれぞれ接続される複数のコンセントとにより構成される双方向ＣＡＴＶ用の先行配線システムであって、
前記情報盤に先行配線で接続される複数のＬＡＮケーブルと、これら複数のＬＡＮケーブルにそれぞれ接続される複数のＬＡＮコンセントとを備え、
前記情報盤は、前記保安器と前記複数の同軸ケーブルとの間に介設される双方向増幅器および前記複数のＬＡＮケーブルが接続される端子台を備えるとともに、前記双方向増幅器と前記複数の同軸ケーブルとの間に介設される分配器を備えた分配器用スペースと、前記分配器の複数の出力端子と前記複数の同軸ケーブルとの間に介設されるＴＶ信号通過用の複数のフィルタを備えたフィルタ用スペースと、前記フィルタによって信号の通過帯域が制限されずに前記分配器の一の出力端子に入力端子が接続されるケーブルモデム、このケーブルモデムの出力端子と前記端子台との間に介在するＨＵＢ、およびこれらケーブルモデムとＨＵＢとの間に介設されるルータを備えるためのスペースを有し、前記ルータは１のグローバルＩＰと複数のローカルＩＰとの変換を行う機能を有し、
前記複数のフィルタの各々は、オン／オフ切替スイッチを個別に備え、このオン／オフ切替スイッチのオン時には信号の通過帯域をＴＶ信号の帯域に制限する一方、オフ時には信号の通過帯域の制限を解除する
ことを特徴とするＣＡＴＶ先行配線システム。 
【発明の詳細な説明】
【０００１】
【発明の属する技術分野】
本発明は、保安器を介して、データ通信サービス、例えばインターネット接続サービス対応の双方向ＣＡＴＶ回線に接続される情報盤と、この情報盤に先行配線で接続される複数の同軸ケーブルと、これら複数の同軸ケーブルにそれぞれ接続される複数のコンセントとにより構成されるＣＡＴＶ先行配線システムに関するものである。
【０００２】
【従来の技術】
近年、双方向ＣＡＴＶ回線を経由してインターネットに接続するいわゆるＣＡＴＶインターネットが普及している。このＣＡＴＶインターネットでは、通常、図３１に示すように、インターネット接続サービス対応の双方向ＣＡＴＶ回線Ｌを利用して、高速なデータ伝送を行うケーブルモデム（ＣＡＴＶモデム）４が使用される。そして、このケーブルモデムの種類としては、上りと下りで通信速度が同一の対称型通信用と、上りと下りで通信速度が異なる非対称型通信用とが存在している。なお、図３１において、Ｐは保安器、PA１０は分岐器、PA１１は片方向増幅器、PA１２は分配器、PA１３はフィルタ、２Ａは同軸ケーブル、そして３Ａはコンセント（ＴＶコンセント）である。また、フィルタPA１３は、分配器PA１２の後段に設けられているがその前段に設けられることもある。
【０００３】
【発明が解決しようとする課題】
しかしながら、ケーブルモデムを介してパソコン（パーソナルコンピュータ）などのデータ端末を双方向ＣＡＴＶ回線経由でインターネットに接続する場合、保安器側からパソコンとケーブルモデムの設置場所に配線を行う手間が生じるほか、その配線が露出した状態で行われると美感を損なうなどの問題が生じる。
【０００４】
また、上記配線の後、パソコンとケーブルモデムの設置場所を変更する場合、非常に面倒な配線の変更を伴う。
【０００５】
本発明は、上記事情に鑑みてなされたものであり、露出配線などで美感を損なうことがなく、配線をＴＶ用またはデータ端末用に簡単に変更することができるＣＡＴＶ先行配線システムを提供することを目的とする。
【０００６】
【課題を解決するための手段】
上記課題を解決するために、請求項１記載の発明のＣＡＴＶ先行配線システムは、保安器を介してデータ通信サービス対応の双方向ＣＡＴＶ回線に接続される情報盤と、この情報盤に先行配線で接続される複数の同軸ケーブルと、これら複数の同軸ケーブルにそれぞれ接続される複数のコンセントとにより構成される双方向ＣＡＴＶ用の先行配線システムであって、前記情報盤は、前記保安器と前記複数の同軸ケーブルとの間に介設される双方向増幅器を備えるとともに、前記双方向増幅器と前記複数の同軸ケーブルとの間に介設される分配器を備えた分配器用スペースと、前記分配器の複数の出力端子と前記複数の同軸ケーブルとの間に介設されるＴＶ信号通過用の複数のフィルタを備えたフィルタ用スペースとを有し、前記複数のフィルタの各々は、オン／オフ切替スイッチを個別に備え、このオン／オフ切替スイッチのオン時には信号の通過帯域をＴＶ信号の帯域に制限する一方、オフ時には信号の通過帯域の制限を解除し、前記複数のコンセントのうち、前記フィルタによって信号の通過帯域が制限されない方のコンセントに接続されるケーブルモデムと、このケーブルモデムの出力端子に接続されるＨＵＢと、このＨＵＢの複数の出力端子に接続される複数のＬＡＮコンセントとを備えることを特徴とする。
【０００７】
請求項２記載の発明は、請求項１記載のＣＡＴＶ先行配線システムにおいて、前記ケーブルモデムと前記ＨＵＢとの間に介設され、１のグローバルＩＰと複数のローカルＩＰとの変換を行う機能を有するルータを備えることを特徴とする。
【０００８】
請求項３記載の発明は、保安器を介してデータ通信サービス対応の双方向ＣＡＴＶ回線に接続される情報盤と、この情報盤に先行配線で接続される複数の同軸ケーブルと、これら複数の同軸ケーブルにそれぞれ接続される複数のコンセントとにより構成される双方向ＣＡＴＶ用の先行配線システムであって、前記情報盤に先行配線で接続される複数のＬＡＮケーブルと、これら複数のＬＡＮケーブルにそれぞれ接続される複数のＬＡＮコンセントとを備え、前記情報盤は、前記保安器と前記複数の同軸ケーブルとの間に介設される双方向増幅器を備えるとともに、前記双方向増幅器と前記複数の同軸ケーブルとの間に介設される分配器を備えた分配器用スペースと、前記分配器の複数の出力端子と前記複数の同軸ケーブルとの間に介設されるＴＶ信号通過用の複数のフィルタを備えたフィルタ用スペースと、前記複数のＬＡＮケーブルが接続される端子台と、前記フィルタによって信号の通過帯域が制限されずに前記分配器の一の出力端子に入力端子が接続されるケーブルモデムと、このケーブルモデムの出力端子と前記端子台との間に介設されるＨＵＢとを備え、このＨＵＢの複数の出力端子は前記端子台を介してそれぞれ前記複数のＬＡＮケーブルに接続され、前記複数のフィルタの各々は、オン／オフ切替スイッチを個別に備え、このオン／オフ切替スイッチのオン時には信号の通過帯域をＴＶ信号の帯域に制限する一方、オフ時には信号の通過帯域の制限を解除することを特徴とする。
【０００９】
請求項４記載の発明は、保安器を介してデータ通信サービス対応の双方向ＣＡＴＶ回線に接続される情報盤と、この情報盤に先行配線で接続される複数の同軸ケーブルと、これら複数の同軸ケーブルにそれぞれ接続される複数のコンセントとにより構成される双方向ＣＡＴＶ用の先行配線システムであって、前記情報盤に先行配線で接続される複数のＬＡＮケーブルと、これら複数のＬＡＮケーブルにそれぞれ接続される複数のＬＡＮコンセントとを備え、前記情報盤は、前記保安器と前記複数の同軸ケーブルとの間に介設される双方向増幅器および前記複数のＬＡＮケーブルが接続される端子台を備えるとともに、前記双方向増幅器と前記複数の同軸ケーブルとの間に介設される分配器を備えた分配器用スペースと、前記分配器の複数の出力端子と前記複数の同軸ケーブルとの間に介設されるＴＶ信号通過用の複数のフィルタを備えたフィルタ用スペースと、前記フィルタによって信号の通過帯域が制限されずに前記分配器の一の出力端子に入力端子が接続されるケーブルモ
デム、このケーブルモデムの出力端子と前記端子台との間に介在するＨＵＢ、およびこれらケーブルモデムとＨＵＢとの間に介設されるルータを備えるためのスペースを有し、前記ルータは１のグローバルＩＰと複数のローカルＩＰとの変換を行う機能を有し、前記複数のフィルタの各々は、オン／オフ切替スイッチを個別に備え、このオン／オフ切替スイッチのオン時には信号の通過帯域をＴＶ信号の帯域に制限する一方、オフ時には信号の通過帯域の制限を解除することを特徴とする。  
【００１０】
【発明の実施の形態】
（第１参考例）
図１は第１参考例のＣＡＴＶ先行配線システムの構成図であり、この図を用いて以下に第１参考例の説明を行う。
【００１１】
図１に示すＣＡＴＶ先行配線システムは、住宅などを対象としたものであり、保安器Ｐを介してインターネット接続サービス対応の双方向ＣＡＴＶ回線Ｌに接続されるマルチメディアポートと呼ばれる情報盤１Ａと、この情報盤１Ａに先行配線で接続される複数の同軸ケーブル２Ａと、これら複数の同軸ケーブル２Ａにそれぞれ個別に接続される複数のコンセント３Ａと、これら複数のコンセント３Ａのいずれかに接続される所定のケーブル（同軸ケーブル）２０Ａと、このケーブル２０Ａの末端に接続されるケーブルモデム４とを備えている。ここで、同軸ケーブル２Ａは、例えば、情報盤１Ａ（の後述の濾波器１３）には図略のコネクタを介して接続され、コンセント３Ａには直接接続される。コンセント３Ａは、例えば、１個モジュール寸法で壁面埋込型のＴＶコンセントであり、コネクタはＦ型でもＢＮＣ型でもよい。また、ケーブル２０Ａは、コンセント３Ａのコネクタおよびケーブルモデム４の入力端子のコネクタにそれぞれ対応するコネクタを両端に有している。
【００１２】
そして、図１の例では、ケーブルモデム４が接続されたコンセント３Ａには、そのケーブルモデム４を介してパソコンＰＣ（以下、単にＰＣという）が接続されており、それ以外のコンセント３Ａの必要箇所には、テレビＴＶ（以下、単にＴＶという）が接続されている。ただし、ケーブルモデム４とＰＣとの間は、両端にモジュラプラグ（ＲＪ４５）を有するＬＡＮケーブル（ＵＴＰケーブル）２０Ｂにより接続される。
【００１３】
情報盤１Ａは、例えば一方に開口する箱状のボディおよびこのボディの開口を開閉自在に閉塞するカバーにより構成されるボックス（図示せず）を備え、このボックス内に、保安器Ｐと複数の同軸ケーブル２Ａとの間に介設される（例えば１０〜７７０ＭＨｚ双方向型の）双方向増幅器１１と、この双方向増幅器１１と複数の同軸ケーブル２Ａとの間に介設されそれら複数の同軸ケーブル２Ａと同数の出力端子を有する分配器１２と、この分配器１２の複数の出力端子と複数の同軸ケーブル２Ａとの間にそれぞれ個別に介設される複数のフィルタＦ１３により構成される濾波器１３とを備えている。
【００１４】
そして、濾波器１３の各フィルタＦ１３は、オン／オフ切替スイッチＳＷ１３を個別に備え、このオン／オフ切替スイッチＳ１３のオン時には信号の通過帯域を（少なくとも）ＴＶ信号の帯域に制限する一方、オフ時には信号の通過帯域の制限を解除するものである。
【００１５】
つまり、各フィルタＦ１３は、自己のオン／オフ切替スイッチＳＷ１３がオンであるとき、ＴＶ（下り）の周波数帯域に制限するための所定の帯域（例えば、７０〜７７０ＭＨｚ、または７０ＭＨｚ以上でかつ７７０ＭＨｚ以上）を通過帯域とし、ケーブルモデム４（上り）の周波数帯域（例えば１０〜５５ＭＨｚ）を阻止帯域とするバンドパスフィルタまたはハイパスフィルタとして機能し、自己のオン／オフ切替スイッチＳＷ１３がオフであるとき、信号の通過帯域の制限を解除して、つまり上記阻止帯域の制限を解除して上りの周波数帯域を通過帯域とするのである。
【００１６】
従って、フィルタＦ１３のオン／オフ切替スイッチＳＷ１３をオンにすれば、当該フィルタＦ１３に対応するコンセント３ＡにＴＶを接続することが可能となる一方、フィルタＦ１３のオン／オフ切替スイッチＳＷ１３をオフにすれば、当該フィルタＦ１３に対応するコンセント３Ａにケーブルモデム４経由でＰＣを接続することが可能となる。
【００１７】
図１の例では、最下段のフィルタＦ１３のオン／オフ切替スイッチＳＷ１３がオフに設
定されているので、最下段のフィルタＦ１３に対応するコンセント３Ａにケーブルモデム４経由でＰＣを接続することができる。一方、それ以外のフィルタＦ１３のオン／オフ切替スイッチＳＷ１３はオンに設定されているので、それらフィルタＦ１３に対応するコンセント３Ａの必要箇所にＴＶを接続することができる。
【００１８】
この第１参考例によれば、情報盤１Ａにおいて、本ＣＡＴＶ先行配線システムの変更が容易になり、複数のコンセント３Ａの各々を所望のサービスの接続用に簡単に変更することが可能となる。また、先行配線自体を変更する必要がないので、後付けの露出配線などで美感を損なうことがない。さらに、情報盤１Ａに分配器１２および濾波器１３を備え、かつ濾波器１３の各フィルタＦ１３にオン／オフ切替スイッチＳＷ１３を個別に備えているので、所望のコンセント３Ａを、対応するフィルタＦ１３のオン／オフ切替スイッチＳＷ１３を切り替えるだけで、ＴＶ用またはケーブルモデム４を介したＰＣなどのデータ端末用に極めて簡単に切り替えることができる。これにより、複数のコンセント３Ａの全てをＴＶ用またはデータ端末用として使用することができるほか、複数のコンセント３Ａの一部をＴＶ用として使用するとともにその残部をデータ端末用として使用することができる。 
【００１９】
（第１実施形態）
図２は本発明に係る第１実施形態のＣＡＴＶ先行配線システムの構成図であり、この図を用いて以下に第１実施形態の説明を行う。
【００２０】
図２に示すＣＡＴＶ先行配線システムは、情報盤１Ａと、複数の同軸ケーブル２Ａと、複数のコンセント３Ａと、ケーブルモデム４（ケーブル２０Ａを含む）とを第１参考例と同様に備えているほか、第１参考例との相違点として、ケーブルモデム４の出力端子に接続されるＬＡＮケーブル２０Ｂと、このＬＡＮケーブル２０Ｂに入力端子が接続されるＨＵＢ６と、このＨＵＢ６の複数の出力端子に接続される複数のＬＡＮケーブル２Ｂと、これら複数のＬＡＮケーブル２Ｂに接続されるＬＡＮコンセント３０Ｂと、このＬＡＮコンセント３０Ｂに接続されるＬＡＮケーブル２１Ｂと、このＬＡＮケーブル２１Ｂに接続されるＬＡＮコンセント３Ｂとを備えている。ここで、各ＬＡＮケーブル２Ｂは、４対のツイストペアケーブル（ＵＴＰケーブル）であり、例えばＨＵＢ６側の端部のみに図略のモジュラプラグ（ＲＪ４５）を有している。ＬＡＮコンセント３０Ｂは、例えば、１連ないし複数連の取付枠（図では２連の取付枠）に、１個モジュール寸法で壁面埋込型の８極８心のモジュラジャックであるＬＡＮコンセント３Ｂを複数個（図では４個）取り付けて構成される。ＬＡＮケーブル２１Ｂは、４対のツイストペアケーブルであり、両端部にはモジュラプラグを有さない。
【００２１】
この第１実施形態によれば、ＨＵＢ６（図２の例ではＨＵＢ６およびこの出力端子に接続されるＬＡＮコンセント３０ＢおよびＬＡＮコンセント３Ｂ）に、複数のＰＣなどのデータ端末を接続することができるので、ＬＡＮの構築が可能となり、例えばデータの共有が可能となる。
【００２２】
（第２実施形態）
図３は本発明に係る第２実施形態のＣＡＴＶ先行配線システムの構成図であり、この図を用いて以下に第２実施形態の説明を行う。ただし、以下、本第２実施形態を含む本発明に係る各実施形態および参考例では、第１参考例と同一のものには同一の符号を付して重複する説明は省略する。
【００２３】
図３に示すＣＡＴＶ先行配線システムは、ケーブルモデム４とＨＵＢ６との間に介設され１のグローバルＩＰと複数のローカルＩＰとの変換を行う機能（ＮＡＴ(network address translator)機能）などを有するルータ７をさらに備える以外は第１実施形態のＣＡＴＶ先行配線システムと同様に構成されている。ただし、ルータ７の出力端子には別のＬＡＮケーブル２０Ｂがさらに設けられる。
【００２４】
この第２実施形態によれば、ルータ７をさらに備えたので、ＨＵＢ６に接続された複数のデータ端末により、１のグローバルＩＰで、双方向ＣＡＴＶ回線Ｌを経由してインターネットに接続することができる。
【００２５】
（第３実施形態）
図４は本発明に係る第３実施形態のＣＡＴＶ先行配線システムの構成図であり、この図を用いて以下に第３実施形態の説明を行う。
【００２６】
図４に示すＣＡＴＶ先行配線システムは、複数の同軸ケーブル２Ａと、複数のコンセント３Ａとを第１参考例と同様に備えているほか、第１参考例との相違点として、情報盤１Ｆと、この情報盤１Ｆに先行配線で接続される複数のＬＡＮケーブル２Ｂと、これら複数のＬＡＮケーブル２Ｂにそれぞれ接続される複数のＬＡＮコンセント３Ｂとを備えている。
【００２７】
情報盤１Ｆは、双方向増幅器１１と、分配器１２と、濾波器１３とを第１参考例の情報盤１Ａと同様に備えているほか、情報盤１Ａとの相違点として、複数のＬＡＮケーブル２Ｂが接続される端子台１５と、フィルタＦ１３によって信号の通過帯域が制限されずに分配器１２の一の出力端子に入力端子が接続されるケーブルモデム１６と、このケーブルモデム１６の出力端子と端子台１５との間に介設されるＨＵＢ１７とを備え、このＨＵＢ１７の複数の出力端子は端子台１５を介してそれぞれ複数のＬＡＮケーブル２Ｂに接続される。
【００２８】
この第３実施形態によれば、情報盤１Ｆにケーブルモデム１６とＨＵＢ１７とを内器として備えるので、全体のシステム構成の簡素化を図ることができる。また、複数のＬＡＮコンセント２Ｂの各々にＰＣなどのデータ端末を接続することができるとともにＬＡＮを構築することができ、例えばデータの共有が可能となる。
【００２９】
（第４実施形態）
図５は本発明に係る第４実施形態のＣＡＴＶ先行配線システムの構成図であり、この図を用いて以下に第４実施形態の説明を行う。
【００３０】
図５に示すＣＡＴＶ先行配線システムは、複数の同軸ケーブル２Ａと、複数のコンセント３Ａと、複数のＬＡＮケーブル２Ｂと、複数のＬＡＮコンセント３Ｂとを第３実施形態と同様に備えているほか、第３実施形態との相違点として情報盤１Ｇを備えている。
【００３１】
この情報盤１Ｇは、ケーブルモデム１６およびＨＵＢ１７に代えて、これらを一体に構成して成る内器1617を備える以外は第３実施形態の情報盤１Ｆと同様に構成されている。
【００３２】
この第４実施形態によれば、ケーブルモデム１６およびＨＵＢ１７を一体に構成したので、情報盤１Ｇ内の省スペース化を図ることができる。 
【００３３】
（第５実施形態）
図６は本発明に係る第５実施形態のＣＡＴＶ先行配線システムの構成図であり、この図を用いて以下に第５実施形態の説明を行う。
【００３４】
図６に示すＣＡＴＶ先行配線システムは、複数の同軸ケーブル２Ａと、複数のコンセント３Ａと、複数のＬＡＮケーブル２Ｂと、複数のＬＡＮコンセント３Ｂとを第３実施形態と同様に備えているほか、第３実施形態との相違点として情報盤１Ｋを備えている。
【００３５】
この情報盤１Ｋは、ケーブルモデム１６とＨＵＢ１７との間に介設され１のグローバルＩＰと複数のローカルＩＰとの変換を行う機能を有するルータ１８をさらに備える以外は第３実施形態の情報盤１Ｆと同様に構成されている。
【００３６】
この第５実施形態によれば、情報盤１Ｋにルータ１８を内器としてさらに備えたので、複数のＬＡＮコンセント３Ｂにそれぞれ接続された複数のＰＣなどのデータ端末により、１のグローバルＩＰで、双方向ＣＡＴＶ回線Ｌを経由してインターネットに接続することができる。
【００３７】
（第６実施形態）
図７は本発明に係る第６実施形態のＣＡＴＶ先行配線システムの構成図であり、この図を用いて以下に第６実施形態の説明を行う。
【００３８】
図７に示すＣＡＴＶ先行配線システムは、複数の同軸ケーブル２Ａと、複数のコンセント３Ａと、複数のＬＡＮケーブル２Ｂと、複数のＬＡＮコンセント３Ｂとを第５実施形態と同様に備えているほか、第５実施形態との相違点として情報盤１Ｌを備えている。
【００３９】
この情報盤１Ｌは、ケーブルモデム１６、ルータ１８およびＨＵＢ１７に代えて、これらを一体に構成して成る内器161817を備える以外は第５実施形態の情報盤１Ｋと同様に構成されている。
【００４０】
この第６実施形態によれば、ケーブルモデム１６、ルータ１８およびＨＵＢ１７を一体に構成したので、情報盤１Ｌ内の省スペース化を図ることができる。
【００４１】
（第７実施形態）
図８は本発明に係る第７実施形態のＣＡＴＶ先行配線システムの構成図であり、この図を用いて以下に第７実施形態の説明を行う。
【００４２】
図８に示すＣＡＴＶ先行配線システムは、複数の同軸ケーブル２Ａと、複数のコンセント３Ａと、複数のＬＡＮケーブル２Ｂと、複数のＬＡＮコンセント３Ｂとを第６実施形態と同様に備えているほか、第６実施形態との相違点として情報盤１Ｍを備えている。
【００４３】
この情報盤１Ｍは、内器161817に代えて、この内器161817を備えるためのスペースＳ161817を有する以外は第６実施形態の情報盤１Ｌと同様に構成されている。
【００４４】
この第７実施形態によれば、利用者の要望に応じた様々なシステムを簡単に構成することができる。
【００４５】
（第２参考例）
図９は第２参考例のＣＡＴＶ先行配線システムの構成図であり、この図を用いて以下に第２参考例の説明を行う。
【００４６】
図９に示すＣＡＴＶ先行配線システムは、複数の同軸ケーブル２Ａと、複数のコンセント３Ａと、ケーブルモデム４（ケーブル２０Ａを含む）とを第１参考例と同様に備えているほか、第１参考例との相違点として、情報盤１Ｂと、この情報盤１Ｂに先行配線で接続される別の同軸ケーブル２Ａ（図２ではＰＣ側の２Ａ）と、この別の同軸ケーブル２Ａに接続される別のコンセント３Ａとを備えている。
【００４７】
情報盤１Ｂは、保安器Ｐと双方向増幅器１１および上記別の同軸ケーブル２Ａとの間に介設される分岐器１０をさらに備える以外は、第１参考例の情報盤１Ａと同様に構成されている。
【００４８】
この第２参考例によれば、別の同軸ケーブル２Ａと、別のコンセント３Ａとを備えるとともに、保安器Ｐと双方向増幅器１１および上記別の同軸ケーブル２Ａとの間に介設される分岐器１０を情報盤１Ｂに備えるので、上記別のコンセント３Ａを、ケーブルモデム４を介したＰＣなどのデータ端末用として使用することができるほか、別の同軸ケーブル３ＡをいずれかのフィルタＦ１３に接続替えすれば、その別のコンセント３ＡをＴＶ用として使用することが可能になる。
【００４９】
（第３参考例）
図１０は第３参考例のＣＡＴＶ先行配線システムの構成図であり、この図を用いて以下に第３参考例の説明を行う。
【００５０】
図１０に示すＣＡＴＶ先行配線システムは、情報盤１Ａと、複数の同軸ケーブル２Ａと、複数のコンセント３Ａと、ケーブルモデム４（ケーブル２０Ａを含む）とを第１参考例と同様に備えているほか、第１参考例との相違点として、保安器（図１０では保安器・分岐器Ｐ１０）と、この保安器に先行配線で接続される別の同軸ケーブル２Ａと、この別の同軸ケーブル２Ａに接続される別のコンセント３Ａとを備えている。
【００５１】
保安器・分岐器Ｐ１０は、当該保安器・分岐器Ｐ１０と双方向増幅器１１および上記別の同軸ケーブル２Ａとの間に介設される分岐器を一体に備える。
【００５２】
この第３参考例によれば、別の同軸ケーブル２Ａ、別のコンセント３Ａおよび保安器・分岐器Ｐ１０を備えたので、別のコンセント３Ａを、ケーブルモデム４を介したＰＣなどのデータ端末用として使用することができる。
【００５３】
（第４参考例）
図１１は第４参考例のＣＡＴＶ先行配線システムの構成図であり、この図を用いて以下に第４参考例の説明を行う。
【００５４】
図１１に示すＣＡＴＶ先行配線システムは、複数の同軸ケーブル２Ａと、複数のコンセント３Ａと、ケーブルモデム４（ケーブル２０Ａを含む）と、保安器・分岐器Ｐ１０とを第３参考例と同様に備えているほか、第３参考例との相違点として情報盤１Ｃを備えている。
【００５５】
この情報盤１Ｃは、分配器１２および濾波器１３に代えてこれらを一体に構成して成る
内器1213を備えている以外は第３参考例の情報盤１Ａと同様に構成されている。
【００５６】
この第４参考例によれば、分配器１２および濾波器１３を一体に構成したので、情報盤１Ｃ内の省スペース化が可能になる。
【００５７】
（第５参考例）
図１２は第５参考例のＣＡＴＶ先行配線システムの構成図であり、この図を用いて以下に第５参考例の説明を行う。
【００５８】
図１２に示すＣＡＴＶ先行配線システムは、複数の同軸ケーブル２Ａと、複数のコンセント３Ａと、ケーブルモデム４（ケーブル２０Ａを含む）とを第１参考例とほぼ同様に備えているほか、第１参考例との相違点として情報盤１Ｄを備えている。ただし、同軸ケーブル２Ａおよびコンセント３Ａの組の数は第１参考例のそれよりも多い。
【００５９】
情報盤１Ｄは、濾波器１３の複数のフィルタＦ１３のうち少なくとも１つのフィルタＦ１３と複数の同軸ケーブル２Ａの一部との間に介設される分配器１４をさらに備える以外は第１参考例の情報盤１Ａと同様に構成されている。
【００６０】
この第５参考例によれば、少なくとも１つのフィルタＦ１３と複数の同軸ケーブル２Ａの一部との間に分配器１４を備えたので、例えば、その１つのフィルタのオン／オフ切替スイッチＳＷ１３をオフにすれば、分配器１４の出力端子に接続される各コンセント３Ａを、ケーブルモデム４を介したＰＣなどのデータ端末用として使用することができる。
【００６１】
（第６参考例）
図１３は第６参考例のＣＡＴＶ先行配線システムの構成図であり、この図を用いて以下に第６参考例の説明を行う。
【００６２】
図１３に示すＣＡＴＶ先行配線システムは、複数の同軸ケーブル２Ａと、複数のコンセント３Ａと、ケーブルモデム４（ケーブル２０Ａを含む）とを第１参考例と同様に備えているほか、第１参考例との相違点として情報盤１Ｅを備えている。
【００６３】
この情報盤１Ｅは、濾波器１３に代えて、フィルタＦ１３と同様の帯域特性の複数のフィルタＦ１３Ａにより成る濾波器１３Ａを備える以外は第１参考例の情報盤１Ａと同様に構成されている。この構成では、各フィルタＦ１３Ａは、オン／オフ切替スイッチＳＷ１３を備えていないので、情報盤１Ｅでの配線替えによって所望のサービスの接続用に変更される。すなわち、複数のコンセント３Ａのうち、ＴＶ用として使用するコンセント３Ａに対応する同軸ケーブル２ＡはフィルタＦ１３Ａを介して分配器１２の出力端子に接続され、ケーブルモデム４を介したＰＣなどのデータ端末用として使用するコンセント３Ａに対応する同軸ケーブル２Ａは分配器１２の出力端子に（フィルタＦ１３Ａを介さずに）接続される。
【００６４】
例えば、図１３の破線に示すように、ＰＣ側の同軸ケーブル２ＡをいずれかのフィルタＦ１３Ａの出力端子に接続替えして、そのフィルタＦ１３Ａの入力端子と分配器１２の元の出力端子との間を別の同軸ケーブルで接続すれば、ＰＣ用として使用していたコンセント３ＡをＴＶ用として使用することができる。
【００６５】
この第６参考例によれば、情報盤１Ｅに分配器１２および濾波器１３Ａを備えているので、あるコンセント３ＡをＴＶ用として使用したい場合、情報盤１Ｅにおいて、そのコンセント３Ａに対応する同軸ケーブル２Ａを、フィルタＦ１３Ａを介して分配器１２の出力端子に接続する配線替えを行うだけでそのコンセント３ＡをＴＶ用に簡単に切り替えることができる。同様に、あるコンセント３Ａを、ケーブルモデム４を介したデータ端末用として使用したい場合、情報盤１Ｅにおいて、そのコンセント３Ａに対応する同軸ケーブル２Ａを分配器１２の出力端子に接続する配線替えを行うだけで、そのコンセント３Ａを、ケーブルモデム４を介したデータ端末用に簡単に切り替えることができる。
【００６６】
（第７参考例）
図１４は第７参考例のＣＡＴＶ先行配線システムの構成図であり、この図を用いて以下に第７参考例の説明を行う。
【００６７】
図１４に示すＣＡＴＶ先行配線システムは、情報盤１Ａと、複数の同軸ケーブル２Ａと、複数のコンセント３Ａと、ケーブルモデム４（ケーブル２０Ａを含む）とを第１参考例と同様に備えているほか、第１参考例との相違点として、複数のコンセント３Ａのうち、
フィルタＦ１３によって信号の通過帯域が制限されない方のコンセント３Ａに接続されるケーブル（同軸ケーブル）２０Ａと、このケーブル２０Ａに入力端子が接続される分配器５と、この分配器５の一の出力端子に接続されるケーブル２０Ａと、このケーブル２０Ａに接続されるＴＶ信号通過用のフィルタＦ１３Ａとを備えている。ただし、フィルタＦ１３Ａは、ＴＶコンセントと同様の出力端子を備えている。また、分配器５の他の出力端子にはケーブルモデム４がケーブル２０Ａを介して接続されている。
【００６８】
この第７参考例によれば、フィルタＦ１３によって信号の通過帯域が制限されない方のコンセント３Ａに分配器５を接続し、かつこの分配器５の両出力端子にそれぞれフィルタＦ１３Ａおよびケーブルモデム４を接続したので、１つのコンセント３Ａを、ＴＶ用およびＰＣなどのデータ端末用として使用することができる。
【００６９】
（第８参考例）
図１５は本発明に係る第８参考例のＣＡＴＶ先行配線システムの構成図であり、この図を用いて以下に第８参考例の説明を行う。
【００７０】
図１５に示すＣＡＴＶ先行配線システムは、複数の同軸ケーブル２Ａのうち、フィルタＦ１３によって信号の通過帯域が制限されない方の同軸ケーブル２Ａの端末側に一体型ＣＡＴＶコンセント３０Ａをコンセント３Ａに代えて備える以外は第１参考例のＣＡＴＶ先行配線システムと同様に構成されている。
【００７１】
一体型ＣＡＴＶコンセント３０Ａは、例えば壁面埋込型の配線器具であり、複数のコンセント３１Ａと、これら複数のコンセント３１ＡとフィルタＦ１３によって信号の通過帯域が制限されない方の同軸ケーブル２Ａとの間に介設される分配器３２Ａと、この分配器３２Ａの一の出力端子と複数のコンセント３１Ａのうちの一のコンセント３１Ａとの間に介設されるＴＶ信号通過用のフィルタ３３Ａとを一体に備えている。
【００７２】
この第８参考例によれば、複数のコンセント３１Ａ、分配器３２Ａおよびフィルタ３３Ａにより成る一体型ＣＡＴＶコンセント３０Ａを設けたので、ＴＶ用およびケーブルモデムを介したＰＣなどのデータ端末用としての複数のコンセント３１Ａを１箇所に設けることができるとともに、省スペース化を図ることができる。
【００７３】
（第９参考例）
図１６は第９参考例のＣＡＴＶ先行配線システムの構成図であり、この図を用いて以下に第９参考例の説明を行う。
【００７４】
図１６に示すＣＡＴＶ先行配線システムは、複数の同軸ケーブル２Ａと、複数のコンセント３Ａと、複数のＬＡＮケーブル２Ｂと、複数のＬＡＮコンセント３Ｂとを第４実施形態と同様に備えているほか、第４実施形態との相違点として情報盤１Ｈを備えている。
【００７５】
この情報盤１Ｈは、ケーブルモデム１６およびＨＵＢ１７を一体に構成して成る内器1617に代えて、この内器1617を備えるためのスペースＳ1617を有している以外は第４実施形態の情報盤１Ｇと同様に構成されている。
【００７６】
この第９参考例によれば、利用者がデータ通信を必要とするときに、内器1617をスペースＳ1617に後付けで備えれば、複数のＬＡＮコンセント３Ｂの各々にＰＣなどのデータ端末を接続することができるとともにＬＡＮを構築することができ、例えばデータの共有が可能となる。
【００７７】
なお、第９参考例では、内器1617を備えるためのスペースＳ1617が設けられるが、これに限らず、ケーブルモデム１６を備えるためのケーブルモデム用スペースおよびＨＵＢ１７を備えるためのＨＵＢ用スペースが設けられるようにしてもよい（図４参照）。この場合、利用者の要望によって、１の場所でデータ通信を必要とするときに、ケーブルモデム１６をケーブルモデム用スペースに後付けで備え、ケーブルモデム１６の出力端子を、端子台を介して複数のＬＡＮコンセント３Ｂの所望のコンセント３Ｂに接続すれば、そのコンセント３Ｂにデータ端末を接続することができる。
【００７８】
（第１０参考例）
図１７は第１０参考例のＣＡＴＶ先行配線システムの構成図であり、この図を用いて以下に第１０参考例の説明を行う。
【００７９】
図１７に示すＣＡＴＶ先行配線システムは、複数の同軸ケーブル２Ａと、複数のコンセ
ント３Ａと、複数のＬＡＮケーブル２Ｂと、複数のＬＡＮコンセント３Ｂとを第３実施形態と同様に備えているほか、第３実施形態との相違点として情報盤１Ｉを備えている。
【００８０】
この情報盤１Ｉは、ＨＵＢ１７に代えて、このＨＵＢ１７を備えるためのＨＵＢ用スペースＳ17を有している以外は第３実施形態の情報盤１Ｆと同様に構成されている。
【００８１】
この第１０参考例によれば、ケーブルモデム１６の出力端子を、端子台１５を介して複数のＬＡＮコンセント３Ｂの所望のコンセント３Ｂに接続すれば、そのコンセント３ＢにＰＣなどのデータ端末を接続することができる。また、利用者が多箇所でデータ通信を必要とするときに、ＨＵＢ用スペースＳ17に後付けでＨＵＢ１７を備え、このＨＵＢ１７の複数の出力端子を、端子台１５を介してそれぞれ複数のＬＡＮケーブル２Ｂに接続すれば、複数のＬＡＮコンセント３Ｂの各々にＰＣなどのデータ端末を接続することができるとともにＬＡＮを構築することができ、例えばデータの共有が可能となる。
【００８２】
（第１１参考例）
図１８は第１１参考例のＣＡＴＶ先行配線システムの構成図であり、この図を用いて以下に第１１参考例の説明を行う。
【００８３】
図１８に示すＣＡＴＶ先行配線システムは、複数の同軸ケーブル２Ａと、複数のコンセント３Ａと、複数のＬＡＮケーブル２Ｂと、複数のＬＡＮコンセント３Ｂとを第４実施形態と同様に備えているほか、第４実施形態との相違点として情報盤１Ｊを備えている。
【００８４】
この情報盤１Ｊは、分配器１２、濾波器１３および内器1617に代えて、それぞれ分配器１２を備えるための分配器用スペースＳ12、濾波器１３を備えるための濾波器用スペースＳ13および内器1617を備えるためのスペースＳ1617を有する以外は第４実施形態の情報盤１Ｇと同様に構成されている。
【００８５】
この第１１参考例によれば、利用者の要望に応じた様々なシステムを簡単に構成することができる。
【００８６】
（第１２参考例）
図１９は第１２参考例のＣＡＴＶ先行配線システムの構成図であり、この図を用いて以下に第１２参考例の説明を行う。
【００８７】
図１９に示すＣＡＴＶ先行配線システムは、複数の同軸ケーブル２Ａと、複数のコンセント３Ａと、複数のＬＡＮケーブル２Ｂと、複数のＬＡＮコンセント３Ｂとを第５実施形態と同様に備えているほか、第５実施形態との相違点として情報盤１Ｎを備えている。
【００８８】
この情報盤１Ｎは、ＨＵＢ１７およびルータ１８に代えて、それぞれＨＵＢ１７を備えるためのＨＵＢ用スペースＳ17およびルータ１８を備えるためのルータ用スペースＳ18を有する以外は第５実施形態の情報盤１Ｋと同様に構成されている。
【００８９】
この第１２参考例によれば、利用者の要望に応じた様々なシステムを簡単に構成することができる。
【００９０】
（第１３参考例）
図２０は第１３参考例のＣＡＴＶ先行配線システムの構成図であり、この図を用いて以下に第１３参考例の説明を行う。
【００９１】
図２０に示すＣＡＴＶ先行配線システムは、複数の同軸ケーブル２Ａと、複数のコンセント３Ａと、複数のＬＡＮケーブル２Ｂと、複数のＬＡＮコンセント３Ｂとを第５実施形態と同様に備えているほか、第５実施形態との相違点として情報盤１Ｏを備えている。
【００９２】
この情報盤１Ｏは、分配器１２、濾波器１３、ケーブルモデム１６、ＨＵＢ１７およびルータ１８に代えて、それぞれ分配器１２を備えるための分配器用スペースＳ12、濾波器１３を備えるための濾波器用スペースＳ13、ケーブルモデムを備えるためのケーブルモデム用スペースＳ16、ＨＵＢ１７を備えるためのＨＵＢ用スペースＳ17およびルータ１８を備えるためのルータ用スペースＳ18を有する以外は第５実施形態の情報盤１Ｋと同様に構成されている。
【００９３】
この第１３参考例によれば、利用者の要望に応じた様々なシステムを簡単に構成することができる。
【００９４】
（第１４参考例）
図２１は本発明に係る第１４参考例のＣＡＴＶ先行配線システムの構成図であり、この
図を用いて以下に第１４参考例の説明を行う。
【００９５】
図２１に示すＣＡＴＶ先行配線システムは、複数の同軸ケーブル２Ａと、複数のコンセント３Ａとを第１参考例と同様に備えているほか、第１参考例との相違点として、情報盤１Ｐと、この情報盤１Ｐに先行配線で接続されるＬＡＮケーブル２Ｂと、このＬＡＮケーブル２Ｂに接続されるＬＡＮコンセント３Ｂとを備えている。
【００９６】
情報盤１Ｐは、フィルタＦ１３によって信号の通過帯域が制限されずに分配器１２の一の出力端子に入力端子が接続されるケーブルモデム１６をさらに備え、このケーブルモデム１６の出力端子にＬＡＮケーブル２Ｂが接続される以外は第１参考例の情報盤１Ａと同様に構成されている。
【００９７】
この第１４参考例によれば、ＬＡＮコンセント３ＢにＰＣなどのデータ端末を接続するだけで、双方向ＣＡＴＶ回線Ｌを経由してインターネットに接続することができる。
【００９８】
（第１５参考例）
図２２は第１５参考例のＣＡＴＶ先行配線システムの構成図であり、この図を用いて以下に第１５参考例の説明を行う。
【００９９】
図２２に示すＣＡＴＶ先行配線システムは、複数の同軸ケーブル２Ａと、複数のコンセント３Ａと、ＬＡＮケーブル２Ｂと、ＬＡＮコンセント３Ｂとを第１４参考例と同様に備えているほか、第１４参考例との相違点として情報盤１Ｑを備えている。
【０１００】
この情報盤１Ｑは、ケーブルモデム１６に代えて、そのケーブルモデム１６を備えるためのケーブルモデム用スペースＳ16を有する以外は第１４参考例の情報盤１Ｐと同様に構成されている。
【０１０１】
この第１５参考例によれば、ＬＡＮケーブル２ＢをいずれかのフィルタＦ１３経由で分配器１２の一の出力端子に接続すれば、ＬＡＮコンセント３Ｂに（外付けの）ケーブルモデム４（例えば図２参照）経由でＰＣなどのデータ端末を接続することができるほか、利用者の必要時に適宜、ケーブルモデム用スペースＳ16にケーブルモデム１６（例えば図２１参照）を後付けで設ければ、ＬＡＮコンセント３Ｂにデータ端末を接続して、双方向ＣＡＴＶ回線Ｌ経由でインターネットに接続することができる。
【０１０２】
（第１６参考例）
図２３は第１６参考例のＣＡＴＶ先行配線システムの構成図であり、この図を用いて以下に第１６参考例の説明を行う。
【０１０３】
図２３に示すＣＡＴＶ先行配線システムは、情報盤１Ｐと、複数の同軸ケーブル２Ａと、複数のコンセント３Ａと、ＬＡＮケーブル２Ｂと、ＬＡＮコンセント３Ｂとを第１４参考例と同様に備えているほか、第１４参考例との相違点として、ＬＡＮコンセント３Ｂに接続されるＬＡＮケーブル２０Ｂと、このＬＡＮケーブル２０Ｂに入力端子が接続されるＨＵＢ６と、このＨＵＢ６の複数の出力端子に接続される複数のＬＡＮケーブル２Ｂと、これら複数のＬＡＮケーブル２Ｂに接続され、上記ＬＡＮコンセント３Ｂを含むＬＡＮコンセント３０Ｂと、このＬＡＮコンセント３１Ｂに接続されるＬＡＮケーブル２１Ｂと、このＬＡＮケーブル２１Ｂに接続されるＬＡＮコンセント３Ｂとを備えている。ここで、ＬＡＮコンセント３１Ｂは、例えば、１連ないし複数連の取付枠（図では２連の取付枠）に、ＬＡＮコンセント３Ｂを複数個（図では５個）取り付けて構成される。
【０１０４】
この第１６参考例によれば、ＨＵＢ６の出力端子およびこの出力端子に接続された複数のＬＡＮコンセント３Ｂの各々にＰＣなどのデータ端末を接続することができるとともにＬＡＮを構築することができ、例えばデータの共有が可能となる。
【０１０５】
（第１７参考例）
図２４は第１７参考例のＣＡＴＶ先行配線システムの構成図であり、この図を用いて以下に第１７参考例の説明を行う。
【０１０６】
図２４に示すＣＡＴＶ先行配線システムは、ケーブルモデム１６にＬＡＮケーブル２Ｂを介して接続されるＬＡＮコンセント３ＢとＨＵＢ６との間に、１のグローバルＩＰと複数のローカルＩＰとの変換を行う機能を有するルータ７をさらに備える以外は第１６参考例のＣＡＴＶ先行配線システムと同様に構成されている。ただし、ルータ７を介設するために別のＬＡＮケーブル２０Ｂが使用される。
【０１０７】
この第１７参考例によれば、ＨＵＢ６に接続された複数のＰＣなどのデータ端末により、１のグローバルＩＰで、双方向ＣＡＴＶ回線Ｌを経由してインターネットに接続することができる。
【０１０８】
（第１８参考例）
図２５は第１８参考例のＣＡＴＶ先行配線システムの構成図であり、この図を用いて以下に第１８参考例の説明を行う。
【０１０９】
図２５に示すＣＡＴＶ先行配線システムは、複数の同軸ケーブル２Ａと、複数のコンセント３Ａと、複数のＬＡＮケーブル２Ｂと、複数のＬＡＮコンセント３Ｂとを第３実施形態と同様に備えているほか、第３実施形態との相違点として、情報盤１Ｒと、この情報盤１Ｒに先行配線で接続される別の同軸ケーブル２Ａと、この別の同軸ケーブル２Ａに接続される別のコンセント３Ａと、この別のコンセント３Ａに接続されるケーブル（同軸ケーブル）２０Ａと、このケーブル２０Ａに入力端子が接続されるケーブルモデム４と、このケーブルモデム４の出力端子に接続されるＬＡＮケーブル２０Ｂと、このＬＡＮケーブル２０Ｂに接続される別のＬＡＮコンセント３Ｂと、この別のＬＡＮコンセント３Ｂと情報盤１Ｒとの間に先行配線で接続される別のＬＡＮケーブル２Ｂとを備えている。
【０１１０】
情報盤１Ｒは、双方向増幅器１１と、分配器１２と、濾波器１３と、端子台１５と、ＨＵＢ１７とを第３実施形態の情報盤１Ｆと同様に備え、情報盤１Ｆとは配線が相違している。すなわち、上記別の別の同軸ケーブル２Ａは、フィルタＦ１３によって信号の通過帯域が制限されずに分配器１２の一の出力端子に接続され、上記別のＬＡＮケーブル２ＢはＨＵＢ１７の入力端子に接続されている。
【０１１１】
この第１８参考例によれば、複数のＬＡＮコンセント３Ｂの各々にＰＣなどのデータ端末を接続することができるとともにＬＡＮを構築することができ、例えばデータの共有が可能となる。
【０１１２】
（第１９参考例）
図２６は第１９参考例のＣＡＴＶ先行配線システムの構成図であり、この図を用いて以下に第１９参考例の説明を行う。
【０１１３】
図２６に示すＣＡＴＶ先行配線システムは、情報盤１Ｒに代えて情報盤１Ｓを備える以外は第１８参考例のＣＡＴＶ先行配線システムと同様に構成されている。
【０１１４】
情報盤１Ｓは、ＨＵＢ１７に代えて、このＨＵＢ１７を備えるためのＨＵＢ用スペースＳ17を有している以外は第１８参考例の情報盤１Ｒと同様に構成されている。
【０１１５】
この第１９参考例によれば、ケーブルモデム４の出力端子を、端子台１５を介して複数のＬＡＮコンセント３Ｂの所望のコンセント３Ｂに接続すれば、そのコンセント３ＢにＰＣなどのデータ端末を接続することができる。また、利用者の要望によって、多箇所でデータ通信を必要とするときに、ＨＵＢ用スペースＳ17に後付けでＨＵＢ１７を備え、このＨＵＢ１７の複数の出力端子を、端子台１５を介してそれぞれ複数のＬＡＮケーブル２Ｂに接続すれば、複数のＬＡＮコンセント３Ｂの各々にデータ端末を接続することができるとともにＬＡＮを構築することができ、例えばデータの共有が可能となる。
【０１１６】
（第２０参考例）
図２７は第２０参考例のＣＡＴＶ先行配線システムの構成図であり、この図を用いて以下に第２０参考例の説明を行う。
【０１１７】
図２７に示すＣＡＴＶ先行配線システムは、情報盤１Ｒに代えて情報盤１Ｔを備える以外は第１８参考例のＣＡＴＶ先行配線システムと同様に構成されている。
【０１１８】
情報盤１Ｔは、分配器１２、濾波器１３およびＨＵＢ１７に代えて、それぞれ分配器１２を備えるための分配器用スペースＳ12、濾波器１３を備えるための濾波器用スペースＳ13およびＨＵＢ１７を備えるためのＨＵＢ用スペースＳ17を有している以外は第１８参考例の情報盤１Ｒと同様に構成されている。
【０１１９】
この第２０参考例によれば、利用者の要望に応じた様々なシステムを簡単に構成することができる。
【０１２０】
（第２１参考例）
図２８は第２１参考例のＣＡＴＶ先行配線システムの構成図であり、この図を用いて以
下に第２１参考例の説明を行う。
【０１２１】
図２８に示すＣＡＴＶ先行配線システムは、情報盤１Ｒに代えて情報盤１Ｕを備える以外は第１８参考例のＣＡＴＶ先行配線システムと同様に構成されている。
【０１２２】
情報盤１Ｕは、ＨＵＢ１７と別のＬＡＮケーブル２Ｂと間にルータ１８さらに備える以外は第１８参考例の情報盤１Ｒと同様に構成されている。
【０１２３】
この第２１参考例によれば、複数のＬＡＮコンセント３Ｂにそれぞれ接続された複数のＰＣなどのデータ端末により、１のグローバルＩＰで、双方向ＣＡＴＶ回線Ｌを経由してインターネットに接続することができる。
【０１２４】
（第２２参考例）
図２９は第２２参考例のＣＡＴＶ先行配線システムの構成図であり、この図を用いて以下に第２２参考例の説明を行う。
【０１２５】
図２９に示すＣＡＴＶ先行配線システムは、情報盤１Ｕに代えて情報盤１Ｖを備える以外は第２１参考例のＣＡＴＶ先行配線システムと同様に構成されている。
【０１２６】
情報盤１Ｖは、ＨＵＢ１７およびルータ１８に代えて、それぞれＨＵＢ１７を備えるためのＨＵＢ用スペースＳ17およびルータ１８を備えるためのルータ用スペースＳ18を有する以外は第２１参考例の情報盤１Ｕと同様に構成されている。
【０１２７】
この第２２参考例によれば、利用者の要望に応じた様々なシステムを簡単に構成することができる。
【０１２８】
（第２３参考例）
図３０は第２３参考例のＣＡＴＶ先行配線システムの構成図であり、この図を用いて以下に第２３参考例の説明を行う。
【０１２９】
図３０に示すＣＡＴＶ先行配線システムは、情報盤１Ｕに代えて情報盤１Ｗを備える以外は第２１参考例のＣＡＴＶ先行配線システムと同様に構成されている。
【０１３０】
情報盤１Ｗは、分配器１２、濾波器１３、ＨＵＢ１７およびルータ１８に代えて、それぞれ分配器１２を備えるための分配器用スペースＳ12、濾波器１３を備えるための濾波器用スペースＳ13、ＨＵＢ１７を備えるためのＨＵＢ用スペースＳ17およびルータ１８を備えるためのルータ用スペースＳ18を有する以外は第２１参考例の情報盤１Ｕと同様に構成されている。
【０１３１】
この第２３参考例によれば、利用者の要望に応じた様々なシステムを簡単に構成することができる。
【０１３２】
なお、上記各実施形態および参考例の情報盤において、分岐器１０、双方向増幅器１１、分配器１２および濾波器１３の各間の接続と、ケーブルモデム１６の入力端子への接続には同軸ケーブルが使用され、ケーブルモデム１６の出力端子への接続と、ＨＵＢ１７およびルータ１８間の接続には例えばＬＡＮケーブル２０Ｂが使用される。
【０１３３】
また、上記各実施形態および参考例において、複数のコンセント３Ａのうち、フィルタＦ１３（またはＦ１３Ａ）によって信号の通過帯域が制限される方のコンセント３Ａおよびそのフィルタによって信号の通過帯域が制限されない方のコンセント３Ａの双方に接続されるインターネットＴＶを備え、このインターネットＴＶに、ケーブルモデムと同様の機能を備えるとともにＷＷＷブラウザ機能を備える構成にしてもよい。
【０１３４】
さらに、上記各実施形態および参考例において、情報盤内に設けられる双方向増幅器１１と分配器１２と濾波器１３は、いずれも所定の単位寸法の整数倍に形成してモジュール化されて成る構成でもよい。この構成によれば、情報盤に複数の内器を備える場合に情報盤内の省スペース化が図れ、情報盤の寸法をより小型にすることができる。
【０１３５】
【発明の効果】
以上のことから明らかなように、請求項１記載の発明によれば、保安器を介してデータ通信サービス対応の双方向ＣＡＴＶ回線に接続される情報盤と、この情報盤に先行配線で接続される複数の同軸ケーブルと、これら複数の同軸ケーブルにそれぞれ接続される複数のコンセントとにより構成される双方向ＣＡＴＶ用の先行配線システムであって、前記情報盤は、前記保安器と前記複数の同軸ケーブルとの間に介設される双方向増幅器を備えるとともに、前記双方向増幅器と前記複数の同軸ケーブルとの間に介設される分配器を備え
た分配器用スペースと、前記分配器の複数の出力端子と前記複数の同軸ケーブルとの間に介設されるＴＶ信号通過用の複数のフィルタを備えたフィルタ用スペースとを有し、前記複数のフィルタの各々は、オン／オフ切替スイッチを個別に備え、このオン／オフ切替スイッチのオン時には信号の通過帯域をＴＶ信号の帯域に制限する一方、オフ時には信号の通過帯域の制限を解除し、前記複数のコンセントのうち、前記フィルタによって信号の通過帯域が制限されない方のコンセントに接続されるケーブルモデムと、このケーブルモデムの出力端子に接続されるＨＵＢと、このＨＵＢの複数の出力端子に接続される複数のＬＡＮコンセントとを備えるので、情報盤に先行配線で複数の同軸ケーブルが接続され、これら複数の同軸ケーブルにそれぞれ複数のコンセントが接続されるから、情報盤において、本ＣＡＴＶ先行配線システムの変更が容易になり、複数のコンセントの各々を所望のサービスの接続用に簡単に変更することが可能となるほか、先行配線自体を変更する必要がないから、後付けの露出配線などで美感を損なうことがなく、しかも、分配器および複数のフィルタを情報盤に備えることで、各コンセントをＴＶ用またはケーブルモデムを介したデータ端末用に簡単に切り替えることができる。また、所望のコンセントを、対応するフィルタのオン／オフ切替スイッチを切り替えるだけで、ＴＶ用またはケーブルモデムを介したデータ端末用に極めて簡単に切り替えることができる。これにより、複数のコンセントの全てをＴＶ用またはデータ端末用として使用することができるほか、複数のコンセントの一部をＴＶ用として使用するとともにその残部をデータ端末用として使用することができる。さらに、ＨＵＢに複数のデータ端末を接続することができるから、ＬＡＮの構築が可能となり、例えばデータの共有が可能となる。
【０１３６】
請求項２記載の発明によれば、請求項１記載のＣＡＴＶ先行配線システムにおいて、前記ケーブルモデムと前記ＨＵＢとの間に介設され、１のグローバルＩＰと複数のローカルＩＰとの変換を行う機能を有するルータを備えるので、ＨＵＢに接続された複数のデータ端末により、１のグローバルＩＰで、双方向ＣＡＴＶ回線を経由してインターネットに接続することができる。
【０１３７】
請求項３記載の発明によれば、保安器を介してデータ通信サービス対応の双方向ＣＡＴＶ回線に接続される情報盤と、この情報盤に先行配線で接続される複数の同軸ケーブルと、これら複数の同軸ケーブルにそれぞれ接続される複数のコンセントとにより構成される双方向ＣＡＴＶ用の先行配線システムであって、前記情報盤に先行配線で接続される複数のＬＡＮケーブルと、これら複数のＬＡＮケーブルにそれぞれ接続される複数のＬＡＮコンセントとを備え、前記情報盤は、前記保安器と前記複数の同軸ケーブルとの間に介設される双方向増幅器を備えるとともに、前記双方向増幅器と前記複数の同軸ケーブルとの間に介設される分配器を備えた分配器用スペースと、前記分配器の複数の出力端子と前記複数の同軸ケーブルとの間に介設されるＴＶ信号通過用の複数のフィルタを備えたフィルタ用スペースと、前記複数のＬＡＮケーブルが接続される端子台と、前記フィルタによって信号の通過帯域が制限されずに前記分配器の一の出力端子に入力端子が接続されるケーブルモデムと、このケーブルモデムの出力端子と前記端子台との間に介設されるＨＵＢとを備え、このＨＵＢの複数の出力端子は前記端子台を介してそれぞれ前記複数のＬＡＮケーブルに接続され、前記複数のフィルタの各々は、オン／オフ切替スイッチを個別に備え、このオン／オフ切替スイッチのオン時には信号の通過帯域をＴＶ信号の帯域に制限する一方、オフ時には信号の通過帯域の制限を解除するので、情報盤に先行配線で複数の同軸ケーブルが接続され、これら複数の同軸ケーブルにそれぞれ複数のコンセントが接続されるから、情報盤において、本ＣＡＴＶ先行配線システムの変更が容易になり、複数のコンセントの各々を所望のサービスの接続用に簡単に変更することが可能となるほか、先行配線自体を変更する必要がないから、後付けの露出配線などで美感を損なうことがなく、しかも、分配器および複数のフィルタを情報盤に備えることで、各コンセントをＴＶ用またはケーブルモデムを介したデータ端末用に簡単に切り替えることができる。また、所望のコンセントを、対応するフィルタのオン／オフ切替スイッチを切り替えるだけで、ＴＶ用またはケーブルモデムを介したデータ端末用に極めて簡単に切り替えることができる。これにより、複数のコンセントの全てをＴＶ用またはデータ端末用として使用することができ
るほか、複数のコンセントの一部をＴＶ用として使用するとともにその残部をデータ端末用として使用することができる。さらに、全体のシステム構成の簡素化を図ることができるほか、複数のＬＡＮコンセントの各々にデータ端末を接続することができるとともにＬＡＮを構築することができ、例えばデータの共有が可能となる。
【０１３８】
請求項４記載の発明によれば、保安器を介してデータ通信サービス対応の双方向ＣＡＴＶ回線に接続される情報盤と、この情報盤に先行配線で接続される複数の同軸ケーブルと、これら複数の同軸ケーブルにそれぞれ接続される複数のコンセントとにより構成される双方向ＣＡＴＶ用の先行配線システムであって、前記情報盤に先行配線で接続される複数のＬＡＮケーブルと、これら複数のＬＡＮケーブルにそれぞれ接続される複数のＬＡＮコンセントとを備え、前記情報盤は、前記保安器と前記複数の同軸ケーブルとの間に介設される双方向増幅器および前記複数のＬＡＮケーブルが接続される端子台を備えるとともに、前記双方向増幅器と前記複数の同軸ケーブルとの間に介設される分配器を備えた分配器用スペースと、前記分配器の複数の出力端子と前記複数の同軸ケーブルとの間に介設されるＴＶ信号通過用の複数のフィルタを備えたフィルタ用スペースと、前記フィルタによって信号の通過帯域が制限されずに前記分配器の一の出力端子に入力端子が接続されるケーブルモデム、このケーブルモデムの出力端子と前記端子台との間に介在するＨＵＢ、およびこれらケーブルモデムとＨＵＢとの間に介設されるルータを備えるためのスペースを有し、前記ルータは１のグローバルＩＰと複数のローカルＩＰとの変換を行う機能を有し、前記複数のフィルタの各々は、オン／オフ切替スイッチを個別に備え、このオン／オフ切替スイッチのオン時には信号の通過帯域をＴＶ信号の帯域に制限する一方、オフ時には信号の通過帯域の制限を解除するので、情報盤に先行配線で複数の同軸ケーブルが接続され、これら複数の同軸ケーブルにそれぞれ複数のコンセントが接続されるから、情報盤において、本ＣＡＴＶ先行配線システムの変更が容易になり、複数のコンセントの各々を所望のサービスの接続用に簡単に変更することが可能となるほか、先行配線自体を変更する必要がないから、後付けの露出配線などで美感を損なうことがなく、しかも、分配器および複数のフィルタを情報盤に備えることで、各コンセントをＴＶ用またはケーブルモデムを介したデータ端末用に簡単に切り替えることができる。また、所望のコンセントを、対応するフィルタのオン／オフ切替スイッチを切り替えるだけで、ＴＶ用またはケーブルモデムを介したデータ端末用に極めて簡単に切り替えることができる。これにより、複数のコンセントの全てをＴＶ用またはデータ端末用として使用することができるほか、複数のコンセントの一部をＴＶ用として使用するとともにその残部をデータ端末用として使用することができる。さらに、全体のシステム構成の簡素化を図ることができるほか、複数のＬＡＮコンセントの各々にデータ端末を接続することができるとともにＬＡＮを構築することができ、例えばデータの共有が可能となる。  
【図面の簡単な説明】
【図１】  第１参考例のＣＡＴＶ先行配線システムの構成図である。
【図２】  本発明に係る第１実施形態のＣＡＴＶ先行配線システムの構成図である。
【図３】  本発明に係る第２実施形態のＣＡＴＶ先行配線システムの構成図である。
【図４】  本発明に係る第３実施形態のＣＡＴＶ先行配線システムの構成図である。
【図５】  本発明に係る第４実施形態のＣＡＴＶ先行配線システムの構成図である。
【図６】  本発明に係る第５実施形態のＣＡＴＶ先行配線システムの構成図である。
【図７】  本発明に係る第６実施形態のＣＡＴＶ先行配線システムの構成図である。
【図８】  本発明に係る第７実施形態のＣＡＴＶ先行配線システムの構成図である。
【図９】  第２参考例のＣＡＴＶ先行配線システムの構成図である。
【図１０】  第３参考例のＣＡＴＶ先行配線システムの構成図である。
【図１１】  第４参考例のＣＡＴＶ先行配線システムの構成図である。
【図１２】  第５参考例のＣＡＴＶ先行配線システムの構成図である。
【図１３】  第６参考例のＣＡＴＶ先行配線システムの構成図である。
【図１４】  第７参考例のＣＡＴＶ先行配線システムの構成図である。
【図１５】  第８参考例のＣＡＴＶ先行配線システムの構成図である。
【図１６】  第９参考例のＣＡＴＶ先行配線システムの構成図である。
【図１７】  第１０参考例のＣＡＴＶ先行配線システムの構成図である。
【図１８】  第１１参考例のＣＡＴＶ先行配線システムの構成図である。
【図１９】  第１２参考例のＣＡＴＶ先行配線システムの構成図である。
【図２０】  第１３参考例のＣＡＴＶ先行配線システムの構成図である。
【図２１】  第１４参考例のＣＡＴＶ先行配線システムの構成図である。
【図２２】  第１５参考例のＣＡＴＶ先行配線システムの構成図である。
【図２３】  第１６参考例のＣＡＴＶ先行配線システムの構成図である。
【図２４】  第１７参考例のＣＡＴＶ先行配線システムの構成図である。
【図２５】  第１８参考例のＣＡＴＶ先行配線システムの構成図である。
【図２６】  第１９参考例のＣＡＴＶ先行配線システムの構成図である。
【図２７】  第２０参考例のＣＡＴＶ先行配線システムの構成図である。
【図２８】  第２１参考例のＣＡＴＶ先行配線システムの構成図である。
【図２９】  第２２参考例のＣＡＴＶ先行配線システムの構成図である。
【図３０】  第２３参考例のＣＡＴＶ先行配線システムの構成図である。
【図３１】  従来ののＣＡＴＶ先行配線システムの構成図である。
【符号の説明】
Ｐ  保安器
Ｌ  双方向ＣＡＴＶ回線
１Ａ，１Ｂ，１Ｃ，１Ｄ，１Ｅ，１Ｆ，１Ｇ，１Ｈ，１Ｉ，１Ｊ，１Ｋ，１Ｌ，１Ｍ，１Ｎ，１Ｏ，１Ｐ，１Ｑ，１Ｒ，１Ｓ，１Ｔ，１Ｕ，１Ｖ，１Ｗ  情報盤
１０  分岐器
１１  双方向増幅器
１２  分配器
１３  濾波器
１４  分配器
１５  端子台
１６  ケーブルモデム
１７  ＨＵＢ
１８  ルータ
Ｆ１３  フィルタ
ＳＷ１３  オン／オフ切替スイッチ
２Ａ  同軸ケーブル
２Ｂ  ＬＡＮケーブル
３Ａ  コンセント
３Ｂ  ＬＡＮコンセント
４  ケーブルモデム
５  分配器
６  ＨＵＢ
７  ルータ
【図１】
0003726647.tif 000002
【図２】
0003726647.tif 000003
【図３】
0003726647.tif 000004
【図４】
0003726647.tif 000005
【図５】
0003726647.tif 000006
【図６】
0003726647.tif 000007
【図７】
0003726647.tif 000008
【図８】
0003726647.tif 000009
【図９】
0003726647.tif 000010
【図１０】
0003726647.tif 000011
【図１１】
0003726647.tif 000012
【図１２】
0003726647.tif 000013
【図１３】
0003726647.tif 000014
【図１４】
0003726647.tif 000015
【図１５】
0003726647.tif 000016
【図１６】
0003726647.tif 000017
【図１７】
0003726647.tif 000018
【図１８】
0003726647.tif 000019
【図１９】
0003726647.tif 000020
【図２０】
0003726647.tif 000021
【図２１】
0003726647.tif 000022
【図２２】
0003726647.tif 000023
【図２３】
0003726647.tif 000024
【図２４】
0003726647.tif 000025
【図２５】
0003726647.tif 000026
【図２６】
0003726647.tif 000027
【図２７】
0003726647.tif 000028
【図２８】
0003726647.tif 000029
【図２９】
0003726647.tif 000030
【図３０】
0003726647.tif 000031
【図３１】
0003726647.tif 000032